(57)【要約】【課題】ノイズ除去を効果的に実行できるとともに、ノイズ除去の誤動作の発生とその悪影響を抑制すること。【解決手段】本願に係るノイズ除去方法では、信号を複数の帯域へ分割し、分割した信号毎にノイズ除去処理を実行する。ここで、ノイズ除去処理を実行するに際して、ノイズ除去処理における信号の抑圧量や抑圧期間等の調整量を帯域毎に個別に設定する。これにより、帯域の特性に合わせてノイズ除去を実行することが可能となり、ノイズ除去を効果的に実行できるとともに、ノイズ除去の誤動作の発生とその悪影響を抑制することができる。【選択図】図６
2011217312.tif 000002
【特許請求の範囲】
【請求項１】
アンテナと、
アンテナで受信した信号を周波数帯域毎に分割する分割手段と、
受信した信号に対してノイズ除去を行うノイズ除去手段と、
前記分割手段で周波数帯域毎に分割された個々の信号に対する前記ノイズ除去手段によるノイズ除去処理のノイズ除去量を、周波数帯域毎に設定するノイズ除去量設定手段と、
を備えることを特徴とする受信装置。
【請求項２】
前記ノイズ除去量設定手段は、前記分割された周波数帯域のうち、低周波の周波数帯域の信号に比して、高周波の周波数帯域の信号のノイズ除去量が多くなるように、ノイズ除去量を設定することを特徴とする請求項１記載の受信装置。
【請求項３】
アンテナと、
アンテナで受信した信号を周波数帯域毎に分割する分割手段と、
分割された周波数帯域毎のノイズの量を検出するノイズ検出手段と、
受信した信号に対してノイズ除去を行うノイズ除去手段と、
前記分割された周波数帯域毎にノイズ除去処理開始の閾値を決定する閾値決定手段と、を備え、
前記ノイズ除去手段は、前記ノイズ検出手段により検出されたノイズの検出量のピークが前記閾値決定手段により決定された閾値以上の場合に、ノイズ除去処理を実行することを特徴とする受信装置。
【請求項４】
受信した信号を周波数帯域毎に分割する分割手段と、
受信した信号に対してノイズ除去を行うノイズ除去手段と、
前記分割手段で周波数帯域毎に分割された個々の信号に対する前記ノイズ除去手段によるノイズ除去処理のノイズ除去量を、周波数帯域毎に設定するノイズ除去量設定手段と、
を備えることを特徴とするノイズ除去装置。
【請求項５】
受信した信号を周波数帯域毎に分割する分割工程と、
受信した信号に対してノイズ除去を行うノイズ除去工程と、
前記分割工程で周波数帯域毎に分割された個々の信号に対する前記ノイズ除去工程によるノイズ除去処理のノイズ除去量を、周波数帯域毎に設定するノイズ除去量設定工程と、
を含むことを特徴とするノイズ除去方法。
【発明の詳細な説明】
【技術分野】
【０００１】
本発明は、受信装置、ノイズ除去装置およびノイズ除去方法に関する。
【背景技術】
【０００２】
従来より、ＡＭラジオやＦＭチューナ等の受信装置に関して、ノイズを除去するための各種技術が提案され、また、実際に利用されている。例えば、特許文献１では、ステレオ差信号を複数の周波数帯域に分割し、各分割帯域毎の信号レベルに応じて抽出された分割ステレオ差信号を用いてノイズを除去する技術が開示されている。
【先行技術文献】
【特許文献】
【０００３】
【特許文献１】特公平７−８７３９０号公報
【発明の概要】
【発明が解決しようとする課題】
【０００４】
しかしながら、上記の特許文献１で開示されている従来技術では、複数の周波数帯域に分割された各分割ステレオ差信号について、信号レベルに応じて抽出するかしないかという単純な対処しか行なわれない。このため、帯域毎にノイズの除去効果やノイズ除去の誤動作の発生し易さが異なるにもかかわらず、従来技術では、帯域毎の特性が考慮されないために、ノイズの除去を効果的に行うことができなかったり、ノイズ除去が誤動作したりして、却って信号の品質を劣化させてしまうおそれがあった。
【０００５】
本発明は、上記に鑑みてなされたものであって、ノイズ除去を効果的に実行できるとともに、ノイズ除去の誤動作の発生とその悪影響を抑制することができる受信装置、ノイズ除去装置およびノイズ除去方法を提供することを目的とする。
【課題を解決するための手段】
【０００６】
上述した課題を解決し、目的を達成するために、本発明に係る受信装置は、アンテナと、アンテナで受信した信号を周波数帯域毎に分割する分割手段と、受信した信号に対してノイズ除去を行うノイズ除去手段と、前記分割手段で周波数帯域毎に分割された個々の信号に対する前記ノイズ除去手段によるノイズ除去処理のノイズ除去量を、周波数帯域毎に設定するノイズ除去量設定手段と、を備えることを特徴とする。
【０００７】
また、本発明に係る受信装置は、他の態様において、アンテナと、アンテナで受信した信号を周波数帯域毎に分割する分割手段と、分割された周波数帯域毎のノイズの量を検出するノイズ検出手段と、受信した信号に対してノイズ除去を行うノイズ除去手段と、前記分割された周波数帯域毎にノイズ除去処理開始の閾値を決定する閾値決定手段と、を備え、前記ノイズ除去手段は、前記ノイズ検出手段により検出されたノイズの検出量のピークが前記閾値決定手段により決定された閾値以上の場合に、ノイズ除去処理を実行することを特徴とする。
【０００８】
また、本発明に係るノイズ除去装置は、受信した信号を周波数帯域毎に分割する分割手段と、受信した信号に対してノイズ除去を行うノイズ除去手段と、前記分割手段で周波数帯域毎に分割された個々の信号に対する前記ノイズ除去手段によるノイズ除去処理のノイズ除去量を、周波数帯域毎に設定するノイズ除去量設定手段と、を備えることを特徴とする。
【０００９】
また、本発明に係るノイズ除去方法は、受信した信号を周波数帯域毎に分割する分割工程と、受信した信号に対してノイズ除去を行うノイズ除去工程と、前記分割工程で周波数帯域毎に分割された個々の信号に対する前記ノイズ除去工程によるノイズ除去処理のノイズ除去量を、周波数帯域毎に設定するノイズ除去量設定工程と、を含むことを特徴とする。
【発明の効果】
【００１０】
本発明に係る受信装置、ノイズ除去装置およびノイズ除去方法は、ノイズ除去を効果的に実行できるとともに、ノイズ除去の誤動作の発生とその悪影響を抑制することができるという効果を奏する。
【図面の簡単な説明】
【００１１】
【図１】図１は、実施例１に係る受信装置の構成を示すブロック図である。
【図２】図２は、分割部の構成を示すブロック図である。
【図３】図３は、帯域分割の一例を示す図である。
【図４】図４は、再構成部の構成を示すブロック図である。
【図５】図５は、ノイズ除去処理部の構成を示すブロック図である。
【図６】図６は、瞬時ミュート処理の一例を示す図である。
【図７】図７は、ノイズ除去処理部の他の構成を示すブロック図である。
【図８】図８は、ノイズ除去前の検波信号の一例を示す図である。
【図９】図９は、図８に示した検波信号を６つの帯域へ分割した例を示す図である。
【図１０】図１０は、分割した帯域毎にノイズ除去を実行した結果の例を示す図である。
【図１１】図１１は、図１０に示した各周波数帯の信号を合成して再構成した検波信号の例を示す図である。
【図１２】図１２は、実施例２に係る受信装置の構成を示すブロック図である。
【図１３】図１３は、ノイズ除去処理部の構成を示すブロック図である。
【図１４】図１４は、閾値決定部の構成を示すブロック図である。
【図１５】図１５は、閾値決定部によって決定された閾値に従ってノイズ除去処理を行った例を示す図である。
【発明を実施するための形態】
【００１２】
以下に、本発明に係る受信装置、ノイズ除去装置およびノイズ除去方法の実施例を図面に基づいて詳細に説明する。なお、以下の実施例では、本発明をＦＭ放送を受信する受信装置に適用した例について説明するが、本発明の用途はこれに限られるものではなく、例えば、本発明は、ＡＭ放送を受信する受信装置や、その他の方式で送信される各種無線波を受信する受信装置に適用することができる。
【実施例１】
【００１３】
まず、本実施例に係る受信装置１０の構成について図１を参照しながら説明する。図１に示すように、受信装置１０は、アンテナ１０１と、フロントエンド部１０２と、ＩＦＡＤコンバータ１０３と、ＩＦ処理回路１０４と、電界レベル検出部１０５と、検波回路１０６と、コンポジット処理回路１０７と、ノイズ検出部１０８と、ステレオデコーダ１０９と、ノイズ除去装置１１０と、オーディオ処理回路１１４と、スピーカ１１５とを有する。
【００１４】
フロントエンド部１０２は、アンテナ１０１において受信されたＲＦ信号をＩＦ信号（中間周波数信号）へ周波数変換する。ＩＦＡＤコンバータ１０３は、フロントエンド部１０２によって変換されたＩＦ信号をＡ／Ｄ変換してデジタル化する。ＩＦ処理回路１０４は、ＩＦＡＤコンバータ１０３によってデジタル化された信号に対して、利得制御、帯域の制限、公知の手法によるノイズ対策等の処理を行う。
【００１５】
電界レベル検出部１０５は、ＩＦ処理回路１０４の処理結果に基づいて電界レベル（電界強度）を検出し、検出した電界レベルの強さを示す電界レベル信号をノイズ除去装置１１０のノイズ除去処理部１１２とオーディオ処理回路１１４へ出力する。検波回路１０６は、ＩＦ処理回路１０４によって処理された信号を検波（復調）して検波信号を生成する。コンポジット処理回路１０７は、検波回路１０６によって生成された検波信号が、ＬとＲが混合されたコンポジット信号であるかを判定する。
【００１６】
ノイズ検出部１０８は、ＩＦ処理回路１０４やコンポジット処理回路１０７の処理結果に基づいてノイズレベルを検出し、検出したノイズレベルを示すノイズ検出信号をノイズ除去装置１１０のノイズ除去処理部１１２へ出力する。ステレオデコーダ１０９は、検波回路１０６によって生成された検波信号がコンポジット信号である場合に、検波信号をステレオ分割する。
【００１７】
ノイズ除去装置１１０は、検波信号を複数の帯域へ分割し、分割された各帯域の信号毎に異なる調整量でノイズ除去処理を実行する。ノイズ除去装置１１０は、この機能を実現するために、分割部１１１と、ノイズ除去処理部１１２と、再構成部１１３とを有する。オーディオ処理回路１１４は、ノイズ除去装置１１０によってノイズを除去された検波信号に対して、音量の調節やイコライジング等の加工を行い、加工後の信号に基づいてスピーカ１１５を駆動する。
【００１８】
続いて、図１に示したノイズ除去装置１１０の各部の構成についてさらに詳細に説明する。なお、以下の説明では、ノイズ除去装置１１０が検波信号を４つの帯域へ分割してノイズ除去を行う例について説明するが、検波信号をいくつの帯域へ分割するかは任意に変更してよい。また、以下の説明では、説明を簡潔にするために、検波信号がステレオ分離されていることについては考慮しないこととする。
【００１９】
図２は、分割部１１１の構成を示すブロック図である。分割部１１１は、検波信号を複数の帯域へ分割する部位であり、図２に示すように、ＨＰＦ（High Pass Filter）１１１ａと、ＬＰＦ（Low Pass Filter）１１１ｂと、ＨＰＦ１１１ｃと、ＬＰＦ１１１ｄと、ＨＰＦ１１１ｅと、ＬＰＦ１１１ｆと、遅延調整部１１１ｇとを有する。分割部１１１による処理の結果、検波信号は、例えば、図３に示すように帯域分割される。
【００２０】
ＨＰＦ１１１ａは、検波信号から所定以上の帯域を抽出した帯域Ａ信号を出力する。ＬＰＦ１１１ｂは、検波信号から所定未満の帯域を抽出した信号を出力する。ＨＰＦ１１１ｃは、ＬＰＦ１１１ｂが出力した信号から所定以上の帯域を抽出した帯域Ｂ信号を出力する。
【００２１】
ＬＰＦ１１１ｄは、ＬＰＦ１１１ｂが出力した信号から所定未満の帯域を抽出した信号を出力する。ＨＰＦ１１１ｅは、ＬＰＦ１１１ｄが出力した信号から所定以上の帯域を抽出した帯域Ｃ信号を出力する。ＬＰＦ１１１ｆは、ＬＰＦ１１１ｄが出力した信号から所定未満の帯域を抽出した帯域Ｄ信号を出力する。
【００２２】
遅延調整部１１１ｇは、再構成部１１３において帯域Ａ信号、帯域Ｂ信号、帯域Ｃ信号および帯域Ｄ信号を合成して検波信号を再構成する際に各帯域の信号の位相が一致するように、帯域Ａ信号、帯域Ｂ信号、帯域Ｃ信号および帯域Ｄ信号の遅延量を調整する。なお、遅延調整部１１１ｇは、分割部１１１の内部に存在する必要はなく、検波信号が複数の帯域へ分割されてから再構成されるまでの区間に存在すればよい。
【００２３】
図４は、再構成部１１３の構成を示すブロック図である。再構成部１１３は、分割部１１１によって複数の帯域へ分割された信号を合成して検波信号を再構成する部位であり、図４に示すように、ＨＰＦ１１３ａと、ＬＰＦ１１３ｂと、加算器１１３ｃと、ＨＰＦ１１３ｄと、ＬＰＦ１１３ｅと、加算器１１３ｆと、ＨＰＦ１１３ｇと、ＬＰＦ１１３ｈと、加算器１１３ｉとを有する。
【００２４】
ＨＰＦ１１３ａは、帯域Ｃ信号から所定以上の帯域を抽出した信号を出力する。ＬＰＦ１１３ｂは、帯域Ｄ信号から所定未満の帯域を抽出した信号を出力する。加算器１１３ｃは、ＨＰＦ１１３ａが出力した信号とＬＰＦ１１３ｂが出力した信号を合成した信号を出力する。
【００２５】
ＨＰＦ１１３ｄは、帯域Ｂ信号から所定以上の帯域を抽出した信号を出力する。ＬＰＦ１１３ｅは、加算器１１３ｃが出力した信号から所定未満の帯域を抽出した信号を出力する。加算器１１３ｆは、ＨＰＦ１１３ｄが出力した信号とＬＰＦ１１３ｅが出力した信号を合成した信号を出力する。
【００２６】
ＨＰＦ１１３ｇは、帯域Ａ信号から所定以上の帯域を抽出した信号を出力する。ＬＰＦ１１３ｈは、加算器１１３ｆが出力した信号から所定未満の帯域を抽出した信号を出力する。加算器１１３ｉは、ＨＰＦ１１３ｇが出力した信号とＬＰＦ１１３ｈが出力した信号を合成した検波信号を出力する。
【００２７】
図５は、ノイズ除去処理部１１２の構成を示すブロック図である。ノイズ除去処理部１１２は、分割部１１１によって複数の帯域へ分割された信号毎に異なる調整量で瞬時ミュート処理を行ってノイズを除去する。ここで、瞬時ミュート処理とは、ノイズが検出された場合にある期間だけ信号を抑圧してノイズ感を軽減する処理である。図５に示すように、ノイズ除去処理部１１２は、ミュート制御部１２１ａ〜１２１ｄと、乗算器１２２ａ〜１２２ｄとを有する。
【００２８】
ミュート制御部１２１ａおよび乗算器１２２ａは、帯域Ａ信号の瞬時ミュート処理に関連する部位である。具体的には、ミュート制御部１２１ａは、ノイズ検出部１０８から出力されたノイズ検出信号を所定の閾値Ｖｔｈ＿Ａと比較した結果に基づいて、乗算器１２２ａへ出力するミュート制御信号Ａを制御する。乗算器１２２ａは、ミュート制御信号Ａに従って帯域Ａ信号を抑圧する。
【００２９】
ミュート制御部１２１ｂおよび乗算器１２２ｂは、帯域Ｂ信号の瞬時ミュート処理に関連する部位である。具体的には、ミュート制御部１２１ｂは、ノイズ検出部１０８から出力されたノイズ検出信号を所定の閾値Ｖｔｈ＿Ｂと比較した結果に基づいて、乗算器１２２ｂへ出力するミュート制御信号Ｂを制御する。乗算器１２２ｂは、ミュート制御信号Ｂに従って帯域Ｂ信号を抑圧する。
【００３０】
ミュート制御部１２１ｃおよび乗算器１２２ｃは、帯域Ｃ信号の瞬時ミュート処理に関連する部位である。具体的には、ミュート制御部１２１ｃは、ノイズ検出部１０８から出力されたノイズ検出信号を所定の閾値Ｖｔｈ＿Ｃと比較した結果に基づいて、乗算器１２２ｃへ出力するミュート制御信号Ｃを制御する。乗算器１２２ｃは、ミュート制御信号Ｃに従って帯域Ｃ信号を抑圧する。
【００３１】
ミュート制御部１２１ｄおよび乗算器１２２ｄは、帯域Ｄ信号の瞬時ミュート処理に関連する部位である。具体的には、ミュート制御部１２１ｄは、ノイズ検出部１０８から出力されたノイズ検出信号を所定の閾値Ｖｔｈ＿Ｄと比較した結果に基づいて、乗算器１２２ｄへ出力するミュート制御信号Ｄを制御する。乗算器１２２ｄは、ミュート制御信号Ｄに従って帯域Ｄ信号を抑圧する。
【００３２】
ミュート制御部１２１ａ〜１２１ｄによるミュート制御信号Ａ〜Ｄの制御の一例を図６に示す。図６に示すように、ミュート制御部１２１ａ〜１２１ｄは、ノイズ検出信号が対応する閾値よりも大きい場合に対応する帯域の信号が抑圧され、ノイズ検出信号が対応する閾値未満の場合には対応する帯域の信号が抑圧されないようにミュート制御信号Ａ〜Ｄを制御する。
【００３３】
ここで、周波数毎の閾値と、ノイズ検出信号が閾値よりも大きい場合に対応する帯域の信号を抑圧する期間と量は、帯域毎に個別に設定される。図６に示す例では、周波数が高いほどノイズの影響が顕在化しやすいことから、ノイズが検出され易いように周波数が高いほど閾値が低く設定され、またノイズの除去効果が大きくなるように周波数が高いほど抑圧期間が長く、抑圧量が大きくなるように設定されている。このように設定することにより、人の声の成分が多く含まれる中・低周波数帯については、閾値が高く設定されるとともに、抑圧期間が短く、抑圧量が小さく設定されるので、ノイズ除去が誤って実行されることが少なくなるとともに、ノイズ除去が誤動作した場合の影響を小さくできる効果も生じる。なお、各帯域の信号を抑圧する期間と量を固定的に設定するのではなく、ノイズ検出信号と閾値の差が大きいほど抑圧期間を長く、抑圧量を大きく変動させてもよい。
【００３４】
ところで、図５では帯域毎に異なる調整量で瞬時ミュート処理を実行する例を示したが、帯域毎に異なる調整量で実行されるノイズ除去処理は、瞬時ミュート処理に限定されるものではなく、他の処理であってもよい。帯域毎に異なる調整量でブランク処理を実行するノイズ除去処理部１１２の例を図７に示す。ここで、ブランク処理（カット処理ともいう）とは、ノイズが検出された場合にノイズ区間における信号を直線補間または前置補間してノイズ感を軽減する処理である。図７に示すノイズ除去処理部１１２は、ブランク制御部１３１ａ〜１３１ｄと、補間部１３２ａ〜１３２ｄとを有する。
【００３５】
ブランク制御部１３１ａおよび補間部１３２ａは、帯域Ａ信号のブランク処理に関連する部位である。具体的には、補間部１３２ａは、ブランク制御部１３１ａから出力されるブランク制御信号Ａに従って、帯域Ａ信号を直線補間（または前置補間）する。ブランク制御部１３１ａは、ノイズ検出部１０８から出力されたノイズ検出信号を所定の閾値Ｖｔｈ＿Ａと比較し、ノイズ検出信号がＶｔｈ＿Ａよりも大きければ補間部１３２ａによる補間が行なわれ、ノイズ検出信号がＶｔｈ＿Ａ未満であれば補間部１３２ａによる補間が行なわれないようにブランク制御信号Ａを制御する。
【００３６】
ブランク制御部１３１ｂおよび補間部１３２ｂは、帯域Ｂ信号のブランク処理に関連する部位である。具体的には、補間部１３２ｂは、ブランク制御部１３１ｂから出力されるブランク制御信号Ｂに従って、帯域Ｂ信号を直線補間（または前置補間）する。ブランク制御部１３１ｂは、ノイズ検出部１０８から出力されたノイズ検出信号を所定の閾値Ｖｔｈ＿Ｂと比較し、ノイズ検出信号がＶｔｈ＿Ｂよりも大きければ補間部１３２ｂによる補間が行なわれ、ノイズ検出信号がＶｔｈ＿Ｂ未満であれば補間部１３２ｂによる補間が行なわれないようにブランク制御信号Ｂを制御する。
【００３７】
ブランク制御部１３１ｃおよび補間部１３２ｃは、帯域Ｃ信号のブランク処理に関連する部位である。具体的には、補間部１３２ｃは、ブランク制御部１３１ｃから出力されるブランク制御信号Ｃに従って、帯域Ｃ信号を直線補間（または前置補間）する。ブランク制御部１３１ｃは、ノイズ検出部１０８から出力されたノイズ検出信号を所定の閾値Ｖｔｈ＿Ｃと比較し、ノイズ検出信号がＶｔｈ＿Ｃよりも大きければ補間部１３２ｃによる補間が行なわれ、ノイズ検出信号がＶｔｈ＿Ｃ未満であれば補間部１３２ｃによる補間が行なわれないようにブランク制御信号Ｃを制御する。
【００３８】
ブランク制御部１３１ｄおよび補間部１３２ｄは、帯域Ｄ信号のブランク処理に関連する部位である。具体的には、補間部１３２ｄは、ブランク制御部１３１ｄから出力されるブランク制御信号Ｄに従って、帯域Ｄ信号を直線補間（または前置補間）する。ブランク制御部１３１ｄは、ノイズ検出部１０８から出力されたノイズ検出信号を所定の閾値Ｖｔｈ＿Ｄと比較し、ノイズ検出信号がＶｔｈ＿Ｄよりも大きければ補間部１３２ｄによる補間が行なわれ、ノイズ検出信号がＶｔｈ＿Ｄ未満であれば補間部１３２ｄによる補間が行なわれないようにブランク制御信号Ｄを制御する。
【００３９】
ここで、周波数毎の閾値と、ノイズ検出信号が閾値よりも大きい場合に対応する帯域の信号を補間する期間の長さは、帯域毎に個別に設定される。例えば、周波数が高いほどノイズの影響が顕在化しやすいことから、ノイズが検出され易いように周波数が高いほど閾値が低く設定され、またノイズの除去効果が大きくなるように周波数が高いほど信号を補間する期間の長さが長く設定される。なお、各帯域の信号を補間する期間の長さを固定的に設定するのではなく、ノイズ検出信号と閾値の差が大きいほど信号を補間する期間の長さを長くなるように変動させてもよい。
【００４０】
上述してきたように、本実施例に係る受信装置、ノイズ除去装置およびノイズ除去方法では、複数の帯域へ分割した信号毎にノイズ除去処理の調整量を個別に設定することとしたので、それぞれの帯域の特性に合わせてノイズ除去を効果的に実行できるとともに、ノイズ除去の誤動作の発生とその悪影響を抑制することができる。この手法の効果の一例を図８〜図１１に示す。図８は、ノイズ除去前の検波信号の一例であり、図９は、図８に示した検波信号を６つの帯域へ分割した例である。そして、図１０は、分割した帯域毎にノイズ除去を実行した結果の例であり、図１１は、図１０に示した各周波数帯の信号を合成して再構成した検波信号の例である。
【実施例２】
【００４１】
実施例１では、ノイズ除去が必要であるか否かを判定するための閾値であるＶｔｈ＿Ａ〜Ｖｔｈ＿Ｄが固定的に設定されていることを前提として説明したが、これらの閾値を動的に決定することもできる。そこで、実施例２では、これらの閾値を動的に決定する例について説明する。なお、以下の説明では、既に説明した部位と同様の部位については、既に説明した部位と同一の符号を付して重複する説明を省略することがある。
【００４２】
本実施例に係る受信装置２０の構成について図１２〜図１４を参照しながら説明する。図１２に示すように、受信装置２０は、アンテナ１０１と、フロントエンド部１０２と、ＩＦＡＤコンバータ１０３と、ＩＦ処理回路１０４と、電界レベル検出部１０５と、検波回路１０６と、コンポジット処理回路１０７と、ノイズ検出部１０８と、ステレオデコーダ１０９と、ノイズ除去装置２１０と、オーディオ処理回路１１４と、スピーカ１１５とを有する。
【００４３】
ノイズ除去装置２１０は、検波信号を複数の帯域へ分割し、分割された各帯域の信号毎に異なる調整量でノイズ除去処理を実行する。ノイズ除去装置２１０は、この機能を実現するために、分割部１１１と、ノイズ除去処理部２１２と、再構成部１１３とを有する。
【００４４】
図１３は、ノイズ除去処理部２１２の構成を示すブロック図である。ノイズ除去処理部２１２は、分割部１１１によって複数の帯域へ分割された信号毎にノイズ除去を行う部位であり、図１３に示すように、閾値決定部２７０と、瞬時ミュート処理部２８０とを有する。瞬時ミュート処理部２８０は、図５に示したノイズ除去処理部１１２と同様の装置である。なお、瞬時ミュート処理部２８０は、図７に示したノイズ除去処理部１１２と同様の装置であってもよいし、帯域毎の閾値に基づいて各帯域の信号毎に異なる調整量でノイズ除去を実行する装置であれば他の方式でノイズ除去を行う装置であってもよい。
【００４５】
閾値決定部２７０は、分割部１１１によって複数の帯域へ分割された信号毎にノイズ除去が必要であるか否かを判定するための閾値を決定し、決定した閾値を瞬時ミュート処理部２８０へ供給する。閾値決定部２７０の詳細な構成を図１４に示す。図１４に示すように、閾値決定部２７０は、ピーク検出部２７１ａ〜２７１ｄと、遅延器２７２ａ〜２７２ｄとを有する。
【００４６】
ピーク検出部２７１ａおよび遅延器２７２ａは、帯域Ａ信号に対応する閾値（Ｖｔｈ＿Ａ）の決定に関連する部位である。具体的には、ピーク検出部２７１ａは、帯域Ａ信号の最新のピークを検出してそのレベルを閾値Ｖｔｈ＿Ａとして出力する。遅延器２７２ａは、帯域Ａ信号を所定期間だけ遅延させる。
【００４７】
ピーク検出部２７１ｂおよび遅延器２７２ｂは、帯域Ｂ信号に対応する閾値（Ｖｔｈ＿Ｂ）の決定に関連する部位である。具体的には、ピーク検出部２７１ｂは、帯域Ｂ信号の最新のピークを検出してそのレベルを閾値Ｖｔｈ＿Ｂとして出力する。遅延器２７２ｂは、帯域Ｂ信号を所定期間だけ遅延させる。
【００４８】
ピーク検出部２７１ｃおよび遅延器２７２ｃは、帯域Ｃ信号に対応する閾値（Ｖｔｈ＿Ｃ）の決定に関連する部位である。具体的には、ピーク検出部２７１ｃは、帯域Ｃ信号の最新のピークを検出してそのレベルを閾値Ｖｔｈ＿Ｃとして出力する。遅延器２７２ｃは、帯域Ｃ信号を所定期間だけ遅延させる。
【００４９】
ピーク検出部２７１ｄおよび遅延器２７２ｄは、帯域Ｄ信号に対応する閾値（Ｖｔｈ＿Ｄ）の決定に関連する部位である。具体的には、ピーク検出部２７１ｄは、帯域Ｄ信号の最新のピークを検出してそのレベルを閾値Ｖｔｈ＿Ｄとして出力する。遅延器２７２ｄは、帯域Ｄ信号を所定期間だけ遅延させる。
【００５０】
このように各帯域の信号の最新のピークを検出してそのレベルを閾値として出力するとともに各帯域の信号を遅延させて出力することにより、各帯域の信号について直近のピークレベルを閾値として動的に決定することができる。一般に正常な信号は短期間に大きく変動することが少ないのに対して、ノイズは正常な信号と比較して非常に高い周波数を有する。このため、直近のピークレベルを閾値とすることにより、多くの場合において、ノイズ除去が必要であるか否かを判定するための閾値を適切に設定することができる。
【００５１】
閾値決定部２７０によって決定された閾値よりも信号のレベルが高い場合に閾値よりも周波数をカットするものとしてノイズ除去を実行した例を図１５に示す。図１５に示すように、直近のピークレベルを閾値とすることにより、高周波数のノイズ成分が除去される。図１５の例では、Ａに示す部分のようにノイズでない部分についてもリミット処理によって除去されるが、ノイズ除去処理部２１２においては、複数の周波数に分割された帯域毎にこのようなノイズ除去処理が施された後に各帯域の信号が合成されるため、分割された信号のノイズでない部分が多少失われることがあってもその影響は小さい。
【００５２】
上述してきたように、本実施例に係る受信装置、ノイズ除去装置およびノイズ除去方法では、直近のピークレベルを閾値とすることとしたので、ノイズ除去が必要であるか否かを判定するための閾値を動的かつ適切に決定することができる。
【符号の説明】
【００５３】
１０、２０  受信装置
１０１  アンテナ
１０２  フロントエンド部
１０３  ＩＦＡＤコンバータ
１０４  ＩＦ処理回路
１０５  電界レベル検出部
１０６  検波回路
１０７  コンポジット処理回路
１０８  ノイズ検出部
１０９  ステレオデコーダ
１１０  ノイズ除去装置
１１１  分割部
１１１ａ、１１１ｃ、１１１ｅ  ＨＰＦ
１１１ｂ、１１１ｄ、１１１ｆ  ＬＰＦ
１１１ｇ  遅延調整部
１１２  ノイズ除去処理部
１１３  再構成部
１１３ａ、１１３ｄ、１１３ｇ  ＨＰＦ
１１３ｂ、１１３ｅ、１１３ｈ  ＬＰＦ
１１３ｃ、１１３ｆ、１１３ｉ  加算器
１１４  オーディオ処理回路
１１５  スピーカ
１２１ａ〜１２１ｄ  ミュート制御部
１２２ａ〜１２２ｄ  乗算器
１３１ａ〜１３１ｄ  ブランク制御部
１３２ａ〜１３２ｄ  補間部
２１０  ノイズ除去装置
２１２  ノイズ除去処理部
２７０  閾値決定部
２７１ａ〜２７１ｄ  ピーク検出部
２７２ａ〜２７２ｄ  遅延器
２８０  瞬時ミュート処理部
【図１】
2011217312.tif 000003
【図２】
2011217312.tif 000004
【図３】
2011217312.tif 000005
【図４】
2011217312.tif 000006
【図５】
2011217312.tif 000007
【図６】
2011217312.tif 000008
【図７】
2011217312.tif 000009
【図８】
2011217312.tif 000010
【図９】
2011217312.tif 000011
【図１０】
2011217312.tif 000012
【図１１】
2011217312.tif 000013
【図１２】
2011217312.tif 000014
【図１３】
2011217312.tif 000015
【図１４】
2011217312.tif 000016
【図１５】
2011217312.tif 000017